(57)【要約】【目的】活性水の機能を評価するための、簡便な測定方法及び装置を提供する。【構成】両側に目盛り付Ｌ字型ガラス管を配し、その中間に半透膜を介在させた浸透圧測定装置である。一方のガラス管に０．５から２．０モル／ｌの濃度の電解質溶液を入れ、他の一方のガラス管に活性水を入れて、活性水が半透膜を通して電解質溶液の方へ浸透する際のヘッド差を測定する活性水の浸透圧測定方法及び装置。【選択図】  図２
2004170381.tif 000002
【特許請求の範囲】
【請求項１】
両側に目盛り付Ｌ字型ガラス管を配し、その中間に半透膜を介在させた浸透圧測定装置において、一方のガラス管に０．５から２．０モル／ｌの濃度の電解質溶液を入れ、他の一方のガラス管に活性水を入れて、活性水が半透膜を通して電解質溶液の方へと浸透する際のヘッド差を測定することを特徴とする浸透圧測定方法及び装置
【請求項２】
請求項１において、Ｌ字型ガラス管上部の直径を半透膜通過部直径の１／４から３／４とすることを特徴とする浸透圧測定方法及び装置。
【発明の詳細な説明】
【０００１】
【発明の属する技術分野】本発明は、各種の表面処理における洗浄工程を改善すべく開発された活性水の浸透圧測定方法及び装置に関する。金属にめっき、陽極化成、クロメート処理、電解研摩、化学研摩等の表面処理を行うに際して、製品の洗浄工程は極めて重要な工程である。活性水を用いることにより、洗浄性が向上する。具体的には、従来３段洗浄を行っていたものが、２段洗浄で済むようになる。また３段洗浄で処理する場合においては、従来３分タクトで実施していたものが、２分タクトで処理できるようになる等の効果が認められている。活性水は水道水などを、活性水製造装置を通過させることによって得られる。装置が新しい間は、極めて活性な水が得られるが、使用とともに性能が劣化しついには活性水製造装置として機能しなくなる。本発明は活性水の機能を、簡便な方法で評価するための測定方法及び装置に関し、更に詳しくは半透膜を介在させた電解質溶液と活性水との間の浸透圧測定方法及び装置に関する。
【０００２】
【従来の技術】活性水の機能を測定するための技術として、核磁気共鳴吸収装置（ＮＭＲ）を使って、水分子クラスターの大きさを調べる方法が知られている（例えば非特許文献１参照）。そして流動性の大きい液体では、ＮＭＲスペクトルの半値幅が狭い（例えば非特許文献２参照）。しかしながら、表面処理の現場において活性水の機能評価のために、ＮＭＲを使う方法は得策ではない。
【非特許文献１】遠赤外線の戦略  佐藤義雄著  人間と歴史社  １９９５年、Ｐ．１９９
【非特許文献２】ＮＭＲスペクトルの解釈  共立出版  １９６８年、Ｐ．１４
【０００３】
【発明が解決しようとする課題】活性水は水自身が活発に動いているのが特徴である。しかしながらこうした活性水の機能を、表面処理の現場において簡便に評価する手法は現在まで知られていない。活性水の機能を簡便な装置で評価する技術が求められている。
【０００４】
【発明を解決するための手段】
上記目的を達成するため本発明においては、両側に目盛り付Ｌ字型ガラス管を配し、その中間に半透膜を介在させた浸透圧測定装置において、一方のガラス管に０．５〜２．０モル／ｌの濃度の電解質を入れ、他の一方のガラス管に活性水を入れて、活性水が半透膜を通して電解質溶液の方へと浸透する際のヘッド差を測定することを特徴とする浸透圧測定方法及び装置を提供する。またＬ字型ガラス管上部の直径を半透膜通過部直径の１／４から３／４とすることを特徴とする浸透圧測定方法及び装置を提供する。
【０００５】
【発明の実施の形態】
【第一の発明の説明】
【図１】
【図１】に従って第一の発明を詳細に説明する。左右のＬ字型ガラス管の内径は２０ｍｍとした。左室に電解質溶液として食塩水を入れる。食塩水の濃度は２モル／ｌ（１１７ｇ／ｌ）とした。以下左室の液を参照液と呼ぶことにする。右室には比較のために水道水を入れ、左右両室の液面を合わせる。実験時間の経過とともに、半透膜を通して水道水が左室に拡散浸透する。その結果両室の液面に差が出てくる。
結果を
【表１】に示す。
【表１】
2004170381.tif 000003
次に右室に活性水を入れて、同様に拡散浸透試験を行う。時間の経過に伴って、液面差が大きくなる。拡散浸透時間１２０分において比較すると、水道水における液面差が６ｍｍであったのに対して、活性水においては９．２ｍｍと大きくなった。このことは、被検水の活性度を、半透膜を通しての拡散浸透性により評価できることを示している。
【０００６】
【第一の発明の欠点】
【０００５】に述べたように、半透膜で仕切られた一対のＬ字型ガラス管を用いることにより、被検水の活性度を測定できることは明らかである。挟み込まれた半透膜の面積は３．１４ｃｍ２である。Ｌ字型直管部の断面積も同じく、３．１４ｃｍ２である。拡散浸透時間１２０分における液面差は、６〜９．２ｍｍであった。このときの半透膜を通しての水の移動量は、水道水において０．９４ｃｍ３であり、また活性水においては１．４４ｃｍ３であった。半透膜を通しての水の移動量が少ないため、液面差の読み取りにおいては、１目盛りの１／１０を正確に読み取る、熟練した技術が必要である。
【０００７】
【改善のための方策】
挟み込まれた半透膜の面積は３．１４ｃｍ２である。Ｌ字型直管部を細くし、その内径を５〜１５ｍｍとした場合を考える。それぞれの内径ごとに細管の断面
積を求めた結果を
【表２】に示す。
【表２】
2004170381.tif 000004
半透膜を通しての水の移動量がほぼ一定であると仮定すれば、上部直管の内径
が細いほど、ヘッド差は大きくなる。
【表２】には移動水量１．４４ｃｍ３のときの、直管の内径ごとのヘッド差も示してある。
【０００８】
【第二の発明の説明】
【図２】
【図２】にしたがって、第二の発明を詳細に説明する。第二の発明においては、ヘッド差測定部の直管の内径を小さくしたことが特徴である。一対のＬ字型ガラス管の中間に半透膜を挟み込む作業、また測定装置に参照液及び被検水を注入する作業等の利便性を考えて、ヘッド差測定部の直管を着脱式にしてある。  ヘ
ッド差測定部の内径を６ｍｍとしたときの、浸透圧測定結果を
【表１】に示してある。上部に目盛り付細管部を設けることにより、浸透圧に起因するヘッド差の読み取り精度が向上し、活性水の機能評価をより正確に行えることは明らかである。
【０００９】
【参照液の濃度及びその種類】
【表１】及び
【表２】に示したヘッド差測定は、参照液の食塩水濃度を２．０モル／ｌとして行った例である。食塩水の濃度を４モル／ｌと濃くした場合には、水の浸透が早くなる。結果として短時間でヘッド差を大きく取ることができる。参照液の濃度を０．５モル／ｌ程度と低くした方が、平衡に近い状態で水の浸透が行われる。しかしながら参照液の濃度が低い場合には、同じヘッド差を得るのに測定時間が長くなる。参照液に入れる物質としては、同じような電解質として、硫酸ナトリウムを用いることもできる。また庶糖・ブドウ糖のような非電解質を用いることも可能である。
【００１０】
【半透膜の材質】
【表１】及び
【表２】に示した実験においては、半透膜としてセロファン紙を用いている。半透膜としては、電池用の電解隔膜を用いることもできる。材質と細孔の径によって、透過する水の量が違ってくる。被検水の種類に応じて、適切な半透膜を選定することが重要である。
【００１１】
【図面の簡単な説明】
【図１】はＬ字型ガラス管式浸透圧測定装置の正面図である。
１はＬ字型ガラス管の左管
２はＬ字型ガラス管の右管
３は半透膜
４は左管の目盛り部
５は右管の目盛り部
【図２】は目盛り付細管を有する浸透圧測定装置の正面図である。
２１はＬ字型ガラス管の左管
２２はＬ字型ガラス管の右管
２３は半透膜
２４は左管のテーパージョイント部
２５は右管のテーパージョイント部
２６は左側の目盛り付細管
２７は右側の目盛り付細管
【図１】
2004170381.tif 000005
【図２】
2004170381.tif 000006